(57)【特許請求の範囲】
【請求項１】
他のファクシミリ装置から、原稿画像と、原稿の傾斜角度と、当該原稿の原稿サイズとを受信するファクシミリ送受信部と、
前記ファクシミリ送受信部で受信された前記原稿画像を当該傾斜角度の分だけ、前記傾斜角度が示す前記原稿の傾斜と逆方向に回転させ、当該回転させた画像から、前記原稿サイズが示す本来の原稿領域以外の余分な領域を削除する画像補正処理を実行する原稿画像補正部と、
前記原稿画像補正部により前記画像補正処理された原稿画像を記録紙に形成する画像形成部とを備え、
前記原稿画像補正部は、前記傾斜角度が閾値以上であるか否かを判断し、前記傾斜角度が閾値以上である場合に前記画像補正処理を実行し、前記傾斜角度が閾値よりも小さいときは、前記原稿画像を前記原稿サイズが示す大きさに縮小する縮小処理を実行するファクシミリ装置。
【請求項２】
他のファクシミリ装置から、原稿画像と、原稿の傾斜角度と、当該原稿の原稿サイズとを受信するファクシミリ送受信部と、
前記ファクシミリ送受信部で受信された前記原稿画像を当該傾斜角度の分だけ、前記傾斜角度が示す前記原稿の傾斜と逆方向に回転させ、当該回転させた画像から、前記原稿サイズが示す本来の原稿領域以外の余分な領域を削除する画像補正処理を実行する原稿画像補正部と、
前記原稿画像補正部により前記画像補正処理された原稿画像を記録紙に形成する画像形成部とを備え、
前記原稿画像補正部は、前記ファクシミリ送受信部に受信されたデータに前記原稿の傾斜角度が含まれている場合に前記画像補正処理を実行し、前記ファクシミリ送受信部で受信されたデータに前記原稿の傾斜角度が含まれていない場合には、前記原稿画像を前記原稿サイズが示す大きさに縮小する縮小処理を実行するファクシミリ装置。
ミリ装置。
【請求項３】
送信側ファクシミリ装置と受信側ファクシミリ装置を備えるファクシミリシステムであって、
前記送信側ファクシミリ装置は、
読取対象の原稿を搬送する原稿搬送部と、
前記原稿搬送部により搬送される原稿の画像を読み取る画像読取部と、
前記画像読取部による読取時における原稿の傾斜角度を検出する原稿角度検出部と、
前記傾斜角度に基づいて、前記原稿搬送部により搬送される原稿の全領域の画像を前記画像読取部が読み取るのに必要な当該原稿のサイズよりも大きな読取サイズを設定する読取サイズ設定部と、
前記読取サイズ設定部により設定された前記読取サイズで前記原稿を前記画像読取部に読み取らせる制御部と、
前記画像読取部による前記読取サイズでの読取で得られた原稿画像と、前記原稿角度検出部により検出された傾斜角度と、前記原稿のサイズとを送信するファクシミリ通信部とを備え、
前記受信側ファクシミリ装置は、
前記送信側ファクシミリ装置から、原稿画像と、原稿の傾斜角度と、当該原稿の原稿サイズとを受信するファクシミリ送受信部と、
前記ファクシミリ送受信部で受信された前記原稿画像を当該傾斜角度の分だけ、前記傾斜角度が示す前記原稿の傾斜と逆方向に回転させ、当該回転させた画像から、前記原稿サイズが示す本来の原稿領域以外の余分な領域を削除する画像補正処理を実行する原稿画像補正部と、
前記原稿画像補正部により前記画像補正処理された原稿画像を記録紙に形成する画像形成部とを備え、
前記原稿画像補正部は、前記傾斜角度が閾値以上であるか否かを判断し、前記傾斜角度が閾値以上である場合に前記画像補正処理を実行し、前記傾斜角度が閾値よりも小さいときは、前記原稿画像を前記原稿サイズが示す大きさに縮小する縮小処理を実行するファクシミリシステム。
【請求項４】
送信側ファクシミリ装置と受信側ファクシミリ装置を備えるファクシミリシステムであって、
前記送信側ファクシミリ装置は、
読取対象の原稿を搬送する原稿搬送部と、
前記原稿搬送部により搬送される原稿の画像を読み取る画像読取部と、
前記画像読取部による読取時における原稿の傾斜角度を検出する原稿角度検出部と、
前記傾斜角度に基づいて、前記原稿搬送部により搬送される原稿の全領域の画像を前記画像読取部が読み取るのに必要な当該原稿のサイズよりも大きな読取サイズを設定する読取サイズ設定部と、
前記読取サイズ設定部により設定された前記読取サイズで前記原稿を前記画像読取部に読み取らせる制御部と、  
前記画像読取部による前記読取サイズでの読取で得られた原稿画像と、前記原稿角度検出部により検出された傾斜角度と、前記原稿のサイズとを送信するファクシミリ通信部とを備え、
前記受信側ファクシミリ装置は、
前記送信側ファクシミリ装置から、原稿画像と、原稿の傾斜角度と、当該原稿の原稿サイズとを受信するファクシミリ送受信部と、
前記ファクシミリ送受信部で受信された前記原稿画像を当該傾斜角度の分だけ、前記傾斜角度が示す前記原稿の傾斜と逆方向に回転させ、当該回転させた画像から、前記原稿サイズが示す本来の原稿領域以外の余分な領域を削除する画像補正処理を実行する原稿画像補正部と、
前記原稿画像補正部により前記画像補正処理された原稿画像を記録紙に形成する画像形成部とを備え、
前記原稿画像補正部は、前記ファクシミリ送受信部に受信されたデータに前記原稿の傾斜角度が含まれている場合に前記画像補正処理を実行し、前記ファクシミリ送受信部で受信されたデータに前記原稿の傾斜角度が含まれていない場合には、前記原稿画像を前記原稿サイズが示す大きさに縮小する縮小処理を実行するファクシミリシステム。
【発明の詳細な説明】
【技術分野】
【０００１】
本発明は、ファクシミリ装置及びファクシミリシステムに関し、特に、斜行搬送されて読み取られた原稿画像を補正するための技術に関する。
【背景技術】
【０００２】
原稿搬送装置を備えたファクシミリ装置においては、読み取り対象の原稿が斜行状態で搬送されることがある。当該ファクシミリ装置が、原稿を斜行状態のままで読み取ると、原稿読取部分を示す画像が傾いてしまい、更には、そのような傾いた状態の原稿画像が受信側のファクシミリ装置に送信される。そして、当該傾いた原稿画像を受信したファクシミリ装置では、傾いた状態の原稿を示す画像が印刷されてしまう。特に、文書の場合、傾きがわずかでも目立ちやすいため、画像の傾きを補正することが望ましい。
【０００３】
例えば、下記特許文献１では、原稿の読み取り時に原稿の傾き補正を行う技術が開示されている。また、下記特許文献２では、原稿の傾斜角度を計算し、読み取り画像と合わせて原稿の傾斜角度を送信する技術が開示されている。これらの技術によれば、受信側のファクシミリ装置で受信画像を適宜回転補正することができる。
【先行技術文献】
【特許文献】
【０００４】
【特許文献１】特開２００６−３０３８０５号公報
【特許文献２】特開２００７−３７０６７号公報
【発明の概要】
【発明が解決しようとする課題】
【０００５】
しかしながら、ファクシミリ装置のローエンド機には上記特許文献１のような原稿傾き補正機能が備わっていないものがある。また、例えば、斜行搬送されるＡ４サイズの原稿を原稿サイズＡ４で読み取る場合に、斜行搬送された状態の原稿を読み取ると、原稿の端の部分が正しく読み取られないおそれがある。このようにして読み取った原稿画像を送信しても、受信側のファクシミリ装置では、画像の回転補正を行うことができずに、傾いた状態の原稿を示す画像が印刷されたり、更に、原稿の端の部分を示す画像が印刷されない、という問題が生じる。
【０００６】
また、原稿傾き補正ができないローエンドのファクシミリ装置であっても、上記特許文献２のように原稿の傾斜角度を検出する機能を有するものがある。そのようなファクシミリ装置では、読み取り画像と合わせて原稿の傾斜角度を受信側のファクシミリ装置に送信することで、受信側のファクシミリ装置が回転補正処理の機能を有していれば、当該傾斜角度に基づいて適宜回転補正が可能になる。しかし、例えば、送信側のファクシミリ装置において、斜行搬送されるＡ４サイズの原稿を原稿サイズＡ４で読み取ると、原稿の端の部分が読取範囲からはみ出て正しく読み取りできず、このように読み取った原稿画像を送信しても、受信側のファクシミリ装置では、原稿の端の部分を示す画像が印刷されない、という問題がある。
【０００７】
本発明は、上記の事情に鑑みてなされたものであり、送信側のファクシミリ装置に原稿傾き補正機能がなくても、受信側のファクシミリ装置において当該原稿を示す原稿画像をまっすぐに補正可能にでき、原稿の端の部分を示す画像まで途切れさせることなく、原稿画像を印刷可能にすることを目的とする。
【課題を解決するための手段】
【０００８】
本発明の一局面に係るファクシミリ装置は、読取対象の原稿を搬送する原稿搬送部と、
前記原稿搬送部により搬送される原稿の画像を読み取る画像読取部と、
前記画像読取部による読取時における原稿の傾斜角度を検出する原稿角度検出部と、
前記傾斜角度に基づいて、前記原稿搬送部により搬送される原稿の全領域の画像を前記画像読取部が読み取るのに必要な当該原稿のサイズよりも大きな読取サイズを設定する読取サイズ設定部と、
前記読取サイズ設定部により設定された前記読取サイズで前記原稿を前記画像読取部に読み取らせる制御部と、
前記画像読取部による前記読取サイズでの読取で得られた原稿画像と、前記原稿角度検出部により検出された傾斜角度と、前記原稿のサイズとを送信するファクシミリ通信部とを備えたものである。
【０００９】
また、本発明の別の一局面に係るファクシミリ装置は、他のファクシミリ装置から、原稿画像と、原稿の傾斜角度と、当該原稿の原稿サイズとを受信するファクシミリ送受信部と、
前記ファクシミリ送受信部で受信された前記原稿画像を当該傾斜角度の分だけ、前記傾斜角度が示す前記原稿の傾斜と逆方向に回転させ、当該回転させた画像から、前記原稿サイズが示す本来の原稿領域以外の余分な領域を削除する画像補正処理を実行する原稿画像補正部と、
前記原稿画像補正部により補正された原稿画像を記録紙に形成する画像形成部とを備えたものである。
【００１０】
また、本発明の別の一局面に係るファクシミリシステムは、送信側ファクシミリ装置と受信側ファクシミリ装置を備えるファクシミリシステムであって、
前記送信側ファクシミリ装置は、
読取対象の原稿を搬送する原稿搬送部と、
前記原稿搬送部により搬送される原稿の画像を読み取る画像読取部と、
前記画像読取部による読取時における原稿の傾斜角度を検出する原稿角度検出部と、
前記傾斜角度に基づいて、前記原稿搬送部により搬送される原稿の全領域の画像を前記画像読取部が読み取るのに必要な当該原稿のサイズよりも大きな読取サイズを設定する読取サイズ設定部と、
前記読取サイズ設定部により設定された前記読取サイズで前記原稿を前記画像読取部に読み取らせる制御部と、
前記画像読取部による前記読取サイズでの読取で得られた原稿画像と、前記原稿角度検出部により検出された傾斜角度と、前記原稿のサイズとを送信するファクシミリ通信部とを備え、
前記受信側ファクシミリ装置は、
前記送信側ファクシミリ装置から、原稿画像と、原稿の傾斜角度と、当該原稿の原稿サイズとを受信するファクシミリ通信部と、
前記傾斜角度が閾値よりも大きいとき、前記原稿画像を当該傾斜角度の分だけ、前記傾斜角度が示す前記原稿の傾斜と逆方向に回転させ、当該回転させた画像から前記原稿サイズが示す本来の原稿領域以外の余分な領域を削除する画像補正処理を実行する原稿画像補正部と、
前記補正された原稿画像を記録紙に形成する画像形成部とを備えるものである。
【発明の効果】
【００１１】
本発明によれば、送信側のファクシミリ装置に原稿傾き補正機能がなくても、受信側のファクシミリ装置において当該原稿を示す原稿画像をまっすぐに補正可能にでき、原稿の端の部分を示す画像まで途切れさせることなく、原稿画像を印刷可能にすることができる。
【図面の簡単な説明】
【００１２】
【図１】本発明の一実施形態に係る送信側ファクシミリ装置の外観を示す斜視図である。
【図２】送信側ファクシミリ装置の主要内部構成例を示す機能ブロック図である。
【図３】傾いた原稿を読み取るために必要な読取サイズを説明する図である。
【図４】受信側ファクシミリ装置の主要内部構成例を示す機能ブロック図である。
【図５】原稿画像補正部による原稿画像の補正を説明する図である。
【図６】送信側ファクシミリ装置による原稿画像の送信処理を示すフローチャートである。
【図７】受信側ファクシミリ装置による原稿画像の受信処理を示すフローチャートである。
【発明を実施するための形態】
【００１３】
以下、本発明の一実施形態に係る送信側ファクシミリ装置について図面を参照して説明する。図１は、本発明の一実施形態に係る送信側ファクシミリ装置の外観を示す斜視図である。
【００１４】
本発明の一実施形態に係る送信側ファクシミリ装置１は、ファクシミリ通信機能、コピー機能、プリンター機能、及びスキャナー機能等の複数の機能を兼ね備えた複合機である。図１に示すように、送信側ファクシミリ装置１は、装置本体２と、装置本体２の上方に配置された画像読取部５と、画像読取部５と装置本体２との間に設けられた連結部３とから構成される。
【００１５】
送信側ファクシミリ装置１の外郭を構成する筐体７には、送信側ファクシミリ装置１の様々な機能を実現するための複数の構成機器が収容されている。例えば、筐体７には、画像読取部５、画像形成部１２（図２及び図４）、定着部１３（図２及び図４）、給紙部３０等が収容されている。
【００１６】
画像読取部５は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像読取部５は、ファクシミリ送信対象の原稿を１枚ずつ読み取ることで、画像形成対象となる画像を取得する。
【００１７】
画像形成部１２は、感光体ドラム、帯電装置、露光装置、現像装置、及び転写装置を備え、画像読取部５によって読み取られた画像や、ネットワーク接続されたパーソナルコンピューターや他のファクシミリ装置から送られてくるプリント対象データを用いて、給紙部３０から供給される記録紙に画像を形成（印刷）する。画像形成済みの記録紙は定着部１３による定着処理を受けた後、排出トレイ４に排出される。
【００１８】
操作部４７は、例えば、当該送信側ファクシミリ装置１により可能な機能の実行を指示するためのスタートキーや操作者の操作を確定させる決定キー（エンターキー）、更に、数値入力を行うための数値入力キー等を備える。
【００１９】
また、操作部４７は、操作者への操作案内等を表示する表示部４７３を備えている。表示部４７３はタッチパネルになっており、操作者は表示部４７３に表示される画像やアイコンに触れることで送信側ファクシミリ装置１を操作することができる。
【００２０】
次に、送信側ファクシミリ装置１の構成を説明する。図２は送信側ファクシミリ装置１の主要内部構成例を示す機能ブロック図である。
【００２１】
送信側ファクシミリ装置１は、制御ユニット１０を備える。制御ユニット１０は、ＣＰＵ(Central Processing Unit)、ＲＡＭ、ＲＯＭ及び専用のハードウェア回路等から構成される。
【００２２】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。画像読取部５は、原稿搬送部６により搬送される原稿の画像を、読取サイズ設定部１０２により設定された読取サイズで読み取ることができる。
【００２３】
画像処理部３１は、画像読取部５で読み取られた原稿画像を、必要に応じて画像処理する。例えば、画像処理部３１は、画像読取部５により読み取られた画像が画像形成部１２により画像形成された後の品質を向上させるために、シェーディング補正等の予め定められた画像処理を行う。
【００２４】
画像メモリー３２は、画像読取部５による読取で得られた原稿画像を一時的に記憶したり、画像形成部１２による画像形成の対象となる画像を一時的に保存する領域である。
【００２５】
画像形成部１２は、画像読取部５で読み取られた原稿画像、ネットワーク接続されたコンピューター２００から受信した印刷データ等の画像形成を行う。
【００２６】
定着部１３は、画像形成部１２の画像形成処理により表面に画像（トナー像）が形成された記録紙を加熱し、熱圧着により当該画像を記録しに定着させる定着処理を行う。
【００２７】
操作部４７は、送信側ファクシミリ装置１が実行可能な各種動作及び処理について操作者からの指示を受け付ける。操作部４７は、操作者への操作案内等を表示する表示部４７３を備えている。
【００２８】
ファクシミリ通信部７１は、図略の符号化／復号化部、変復調部及びＮＣＵ（Network Control Unit）を備え、公衆電話回線網を用いてのファクシミリの送受信を行うものである。
【００２９】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。送信側ファクシミリ装置１には複数のコンピューター２００が接続され得る。
【００３０】
ＨＤＤ９２は、画像読取部５によって読み取られた原稿画像等を記憶する大容量の記憶装置である。
【００３１】
駆動モーター７０は、画像形成部１２や定着部１３等における各回転部材及び搬送ローラー対等に回転駆動力を付与する駆動源である。
【００３２】
制御ユニット１０は、制御部１００と、原稿角度検出部１０１と、読取サイズ設定部１０２とを備えている。
【００３３】
制御ユニット１０は、ＨＤＤ９２にインストールされているファクシミリ処理プログラムに従った動作により、制御部１００、原稿角度検出部１０１、及び読取サイズ設定部１０２として機能する。但し、制御部１００、原稿角度検出部１０１、及び読取サイズ設定部１０２は、制御ユニット１０によるファクシミリ処理プログラムに従った動作によらず、それぞれハード回路により構成することも可能である。
【００３４】
制御部１００は、画像読取部５、原稿搬送部６、画像処理部３１、画像メモリー３２、画像形成部１２、定着部１３、操作部４７、表示部４７３、ファクシミリ通信部７１、ネットワークインターフェイス部９１、及びＨＤＤ（ハードディスクドライブ）９２等と接続され、これら各部の駆動制御を行う。
【００３５】
原稿角度検出部１０１は、原稿搬送部６により搬送される原稿の傾斜角度を検出する。ここでいう「原稿の傾斜角度」とは、原稿読取時の主走査方向に対する、原稿搬送方向においての原稿端のずれ角度のことである。原稿角度検出部１０１は、既知の原稿搬送時における原稿端の傾き検出方法により、原稿の傾斜角度を検出する（例えば特開２０１４−５０９５号公報参照）。
【００３６】
読取サイズ設定部１０２は、原稿角度検出部１０１により検出された傾斜角度に基づいて、原稿搬送部６により搬送される原稿の全領域の画像を読み取るのに必要な読取サイズを検出し、当該検出した読取サイズを画像読取部５に設定する。
【００３７】
図３は、傾いた原稿を読み取るために必要な読取サイズを説明する図である。読取対象の原稿Ｄのサイズは、主走査方向の長さＸと、副走査方向（原稿搬送方向）の長さＹとにより定まる。原稿Ｄが原稿搬送部６で搬送される際に、原稿Ｄが主走査方向に対して傾斜角度θだけ傾いたとする。このように傾いた原稿Ｄの全領域の画像を読み取るには、原稿Ｄよりも大きいサイズの仮想的な原稿Ｄ'の画像を読み取る必要が生じる。例えば、読取サイズ設定部１０２は、仮想的な原稿Ｄ'のサイズを、主走査方向の長さがＹ・ｓｉｎθ＋Ｘ・ｃｏｓθ、副走査方向の長さがＸ・ｓｉｎθ＋Ｙ・ｃｏｓθの計算式により算出する。読取サイズ設定部１０２は、これら計算式に従って、原稿搬送部６により搬送される原稿の全領域の画像を読み取るのに必要な読取サイズを計算して設定する。
【００３８】
なお、原稿の傾きはごくわずか（傾斜角度θ≒０°）であるから、ｃｏｓθ≒１と近似することができる。従って、仮想的な原稿Ｄ'の主走査方向及び副走査方向の長さを、それぞれ、主走査方向の長さＹ・ｓｉｎθ＋Ｘ、副走査方向の長さＸ・ｓｉｎθ＋Ｙとしてもよい。
【００３９】
あるいは、原稿ＤはＡ４、Ａ５、Ｂ４、Ｂ５等の定型規格サイズであるから、原稿Ｄのサイズ及び傾斜角度別に仮想的な原稿Ｄ'のサイズを予め計算しておき、それをテーブルに登録しておいてもよい。例えば、Ａ４サイズの原稿Ｄの読取時に、原稿Ｄが主走査方向に対して傾いたことを読取サイズ設定部１０２が検出した場合、読取サイズ設定部１０２は、Ａ４サイズよりも大きいＢ４サイズを上記読取サイズとして画像読取部５に設定するようにしてもよい。但し、この場合、上記計算式により算出された仮想的な原稿Ｄ'がＢ４サイズ以下となっているものとする。これにより、読取サイズ設定部１０２は、仮想的な原稿Ｄ'のサイズを都度計算した算出結果毎に様々な読取サイズを画像読取部５に設定する必要がなくなるため、画像読取部５が備えるべき読取サイズ性能が簡易なもので足りる。
【００４０】
次に、受信側ファクシミリ装置１'の構成を説明する。図４は受信側ファクシミリ装置１'の主要内部構成例を示す機能ブロック図である。受信側ファクシミリ装置１'の構成は、送信側ファクシミリ装置１と比較して、原稿角度検出部１０１及び読取サイズ設定部１０２を備えておらず、原稿画像補正部１０３を備える。受信側ファクシミリ装置１'についてのその他の構成は、送信側ファクシミリ装置１と同様である。以下、受信側ファクシミリ装置１'の構成で送信側ファクシミリ装置１の構成と相違する原稿画像補正部１０３についてのみ説明する。なお、受信側ファクシミリ装置１'におけるファクシミリ通信部７１は、送信側ファクシミリ装置１との通信に必要なデータ通信制御を行う。
【００４１】
原稿画像補正部１０３は、送信側ファクシミリ装置１から受信した原稿画像を、これと共に受信した当該原稿の上記傾斜角度及び原稿サイズに従って、当該原稿画像に当該傾斜が生じていない状態となるよう既知の回転処理等により補正する。
【００４２】
図５は、原稿画像補正部１０３による原稿画像の補正を説明する図である。例えば、図３に示した仮想的な原稿Ｄ'の画像を受信してそれを補正する場合、原稿画像補正部１０３は、受信した原稿画像Ｄ'を、仮想的な原稿Ｄ'の画像の中心座標位置を回転軸にして、他のファクシミリ装置（送信側ファクシミリ装置）から受信した原稿の傾斜角度θ分だけ、原稿の傾斜と逆方向に回転させる。これにより、原稿画像補正部１０３は、受信した原稿画像Ｄ'において傾いて配置されていた元の原稿Ｄの画像の向きが、当該傾きが生じていない状態に補正する。
【００４３】
受信した原稿画像Ｄ'を回転させて得られる原稿画像Ｄ"（図５）は、原稿Ｄよりもサイズが大きいままである。そこで、原稿画像補正部１０３は、回転後の原稿画像Ｄ"から、他のファクシミリ装置から当該原稿画像Ｄ'及びその傾斜角度と共に受信した当該原稿Ｄの原稿サイズを用いて、本来の原稿Ｄの領域以外の余分な領域（図５に示した上下マージンα及び左右マージンβ）を削除する。これにより、受信側のファクシミリ装置１において、受信した原稿画像の傾きを補正して正しい向き及びサイズの元の原稿通りの画像を取得できる。
【００４４】
次に、送信側ファクシミリ装置１による原稿画像の送信処理及び受信処理について個別に説明する。図６は、送信側ファクシミリ装置１による原稿画像の送信処理を示すフローチャートである。
【００４５】
送信側ファクシミリ装置１において、ファクシミリ送信の開始が指示されると、制御部１００は、原稿搬送部６に、載置された原稿の搬送を開始させる（Ｓ１１）。そして、搬送される原稿の先端部分が画像読取部５に差し掛かると、原稿角度検出部１０１は当該原稿の傾斜角度を検出する（Ｓ１２）。このとき、原稿角度検出部１０１は、更に、既知の検出方法により、当該原稿の原稿サイズも検出しておく（Ｓ１２）。
【００４６】
原稿の傾斜角度が検出されると、読取サイズ設定部１０２は、当該傾斜角度を用いて、上述した計算又は上記テーブルの参照により、原稿搬送部６により搬送されている上記原稿の全領域の画像を読み取るのに必要な読取サイズを算出して、当該算出した読取サイズで画像読取部５が原稿を読み取るように、当該読取サイズを画像読取部５に設定する（Ｓ１３）。
【００４７】
制御部１００による制御の下、画像読取部５は、読取サイズ設定部１０２により設定されたサイズ、すなわち、原稿よりも一回り大きなサイズで、原稿搬送部６により搬送される原稿の画像を読み取る（Ｓ１４）。これにより、原稿が斜行搬送されても、原稿の端の部分を示す画像まで途切れさせることなく、原稿を完全に読み取ることができる。
【００４８】
原稿読取部５の読取により得られた原稿画像は画像メモリー３２に一時的に記憶される。制御部１００による制御の下、ファクシミリ通信部７１は、画像メモリー３２に保存された上記原稿画像を読み出し、受信側としての相手先のファクシミリ装置に、当該読み出した原稿画像と、上記検出された原稿の傾斜角度及び原稿サイズを合わせて送信する（Ｓ１５）。
【００４９】
なお、送信側ファクシミリ装置１が原稿画像補正部１０３のような機能を備えていれば、画像読取部５による読取で得られた原稿画像を補正してから相手先のファクシミリ装置に送信することができる。しかし、原稿画像補正部１０３のような機能を備えていないローエンド機である送信側ファクシミリ装置１では、上記斜行による不具合を補正することができない。そのため、送信側ファクシミリ装置１は、画像読取部５で読み取ったままの原稿画像と、原稿の傾斜角度及び健康サイズとを相手先のファクシミリ装置に送信する。
【００５０】
一方、図７は、受信側ファクシミリ装置１'による原稿画像の受信処理を示すフローチャートである。
【００５１】
まず、受信側ファクシミリ装置１'のファクシミリ通信部７１が、送信側ファクシミリ装置１から、原稿画像と原稿の傾斜角度及び原稿サイズ（Ａ４やＢ４等）の情報を受信する（Ｓ２１）。受信した原稿画像は、画像メモリー３２に一時的に記憶される。
【００５２】
原稿画像補正部１０３は、受信した原稿画像の補正を行うか否かを判断するために、受信した傾斜角度と閾値とを比較する（Ｓ２２）。例えば、閾値は、原稿画像補正部１０３での補正可能な原稿の傾斜が最大で±２°程度であるとした場合に、±０．５〜１°程度に設定する。
【００５３】
ここで、原稿画像補正部１０３が、受信した傾斜角度が閾値以上であると判断した場合（Ｓ２２でＹＥＳ）、制御部１００が、当該受信した原稿画像の斜行補正を行うか否かの指示の入力を促すメッセージを表示部４７３に表示させる（Ｓ２３）。
【００５４】
操作者から、上記受信された原稿画像の斜行補正を実行する旨の指示が操作部４７に入力された場合（Ｓ２４でＹＥＳ）、原稿画像補正部１０３は、画像メモリー３２に記憶されている上記受信された原稿画像（例えば図５に示した原稿画像Ｄ'）を、送信側ファクシミリ装置１から受信された上記傾斜角度が示す傾斜角度θ分だけ、上記傾斜角度が示す原稿の傾斜方向とは逆方向に回転させる斜行補正処理を行う（Ｓ２５）。この斜行補正処理により、受信した原稿画像に含まれる元の原稿（例えば図５に示した元の原稿Ｄ）の画像の向きが、傾きを有していないまっすぐな状態（原稿端を示す画像が上記主走査方向に対して傾いていない状態）に補正される。
【００５５】
続いて、原稿画像補正部１０３は、上記斜行補正処理後の原稿画像から、上記受信した原稿サイズが示す本来の原稿領域以外の余分な領域を削除する（Ｓ２６）。具体的には、図５に示したように、原稿画像補正部１０３は、斜行補正処理後の原稿画像Ｄ"から元の原稿Ｄの画像の上下マージンα及び左右マージンβを削除する。例えば、原稿画像補正部１０３は、上記斜行補正処理後の原稿画像と座標中心位置を合わせて、上記受信された原稿サイズが示すサイズからなる領域を設定し、この領域外となる画像部分を削除することにより、元の原稿Ｄの画像の上下マージンα及び左右マージンβを削除する。この後、制御部１００は、画像形成部１２に、当該削除加工後の原稿画像の画像形成を記録紙に対して行わせ、更に定着部１３が定着処理を行って、記録紙に当該削除加工後の原稿画像が印刷される（Ｓ２７）。
【００５６】
一方、原稿画像補正部１０３により、上記受信された傾斜角度が閾値よりも小さいと判断された場合と（Ｓ２２でＮＯ）、操作者から、上記受信された原稿画像の斜行補正を実行しない旨の指示が操作部４７に入力された場合は（Ｓ２４でＮＯ）、原稿画像補正部１０３は、受信した原稿画像の斜行補正処理及び削除加工を行うことなく、当該原稿画像を縮小する縮小処理を行う（Ｓ２８）。その後、制御部１００は、画像形成部１２に、当該縮小処理後の原稿画像の画像形成を記録紙に対して行わせ、更に定着部１３が定着処理を行って、記録紙に当該縮小処理後の原稿画像が印刷される（Ｓ２７）。
【００５７】
なお、当該縮小処理における縮小率は、受信した原稿画像のサイズと、上記受信した原稿サイズとに基づいて算出された、受信した原稿画像のサイズを当該受信した原稿サイズにするための比率が用いられる。
【００５８】
以上のように、本実施形態によると、送信側ファクシミリ装置１に原稿傾きを補正する機能がなくても、受信側ファクシミリ装置１'において、当該原稿を示す原稿画像をまっすぐな状態に補正可能となり、原稿の端の部分を示す画像まで途切れさせることなく、原稿画像を印刷可能にすることができる。
【００５９】
また、受信側ファクシミリ装置１'では、そのファクシミリ通信部７１が、送信側ファクシミリ装置１から、原稿画像と原稿の傾斜角度及び原稿サイズ（Ａ４やＢ４等）の情報を受信したとき（Ｓ２１）、上記Ｓ２２以降の処理に代えて次に示す処理を行うようにしてもよい。例えば、受信側ファクシミリ装置１'の原稿画像補正部１０３は、当該受信されたデータに上記原稿の傾斜角度が含まれているか否かを判断し、当該受信されたデータに上記原稿の傾斜角度が含まれている場合にＳ２５及びＳ２６の画像補正処理を実行する。また、当該原稿画像補正部１０３は、当該受信されたデータに上記原稿の傾斜角度が含まれていない場合には、上記原稿画像を上記原稿サイズが示す大きさに縮小する縮小処理（Ｓ２８）を実行する。
【００６０】
また、送信側ファクシミリ装置１から、上記のように読取サイズを拡大させて読み取られた原稿画像、傾斜角度、及び原稿サイズを受信したファクシミリ装置が、上記斜行補正処理及び削除加工を行う機能を備えていない場合は（受信側ファクシミリ装置１'でもないローエンドのファクシミリ装置の場合）、当該ファクシミリ装置は、内蔵する画像処理部により、当該受信した原稿画像を当該原稿サイズが示す大きさに縮小する処理を行うようにしてもよい。
【００６１】
なお、上記実施形態では、本発明に係るファクシミリ装置の一実施形態として複合機を用いて説明しているが、これは一例に過ぎず、ファクシミリ専用機でもよい。
【００６２】
また、上記実施形態では、図１乃至図７を用いて上記実施形態により示した構成及び処理は、本発明の一実施形態に過ぎず、本発明を当該構成及び処理に限定する趣旨ではない。本発明は上記実施の形態の構成に限られず種々の変形が可能である。
【符号の説明】
【００６３】
１        送信側ファクシミリ装置
１'      受信側ファクシミリ装置
５        画像読取部
６        原稿搬送部
１２      画像形成部
７１      ファクシミリ通信部
１０１    原稿角度検出部
１０２    読取サイズ設定部
１０３    原稿画像補正部
【図１】
0006327225.tif 000002
【図２】
0006327225.tif 000003
【図３】
0006327225.tif 000004
【図４】
0006327225.tif 000005
【図５】
0006327225.tif 000006
【図６】
0006327225.tif 000007
【図７】
0006327225.tif 000008